(57)【要約】  一方の側面（４７）に直接的に上に印刷される、又はレンズに反対側の側面に印刷されたページを積層させるレンチキュラーレンズを形成するために製作されたプラスチックシートから構築される本。レンチキュラー印刷は、レンズを通して見られるとき、ページが仮想三次元効果、及び／又は動画効果を表示できるようにする。該ブックはページを平らに置き、中心ののどあき（４７ａ）によって通常生じる歪みなく２ページ全体を見ることができるように構築される。半硬質レンチキュラーシートは基材（４７ｂ）上に積層され、中心切れ目線（４９）に沿って折り畳まれ、２葉（４８）を作成する。各２葉は２葉（４８ａ）の中に結合される。個々の２葉は互いに接着又は積層され、本の構造に製本され、それによって本のページを形成する。バックラムは通常、追加の補強及び見た目（５０）のために２葉の背に付加される。カバー（従来のハードカバー若しくはソフトカバー、又は非従来型のレンチキュラーカバー）は、次いで非従来型の見開きページ幅のレンチキュラーシート上で、直接的に又は従来の見返しを使用することによって最初のページ及び最後のページの裏面に取り付けることができる。【選択図】図１４
2018502754.tif 000002
【特許請求の範囲】
【請求項１】
直接的に上に印刷される、又は画像が上に積層されるとき、３次元の奥行きの錯覚を与える、及び／又は動画効果を示すレンチキュラーレンズシートから構築される本。
【請求項２】
請求項１を参照すると、レンチキュラーシートはきわめて硬質であり、従来の方法で製本されるときに前記本のページが開かれるのを防ぎ、ページを破壊する、前記シートの中に直接的にドリルで穴を開け、螺旋ワイヤ又は類似で「ノート」様式に結合することによってシートを製本する以前の方法にこれまで制限されているという事実。
【請求項３】
さらに請求項１及び請求項２を詳説すると、前記本は、他の類似する製本の方法に対して完全に新しい構築の方法を利用し、前記本が典型的な大きい書式、つまり「コーヒーテーブル」様式の本のように見えると思われる。
【請求項４】
さらに請求項３を説明すると、前記レンチキュラーブックの前記構築は、前記レンチキュラーブックが、前記表紙、裏表紙、背、及びすべての内部ページを含む、前記印刷されたレンチキュラー材料から完全に作られるように見えることを可能にする。
【請求項５】
請求項３に関して、前記レンチキュラーブック製本方法は、より硬質の基材に積層された単一の可撓シートが２ページのユニット、つまり「２葉」に折り畳まれるが、いくつかの点で異なる埋め込み型の方法に類似する。
【請求項６】
さらに請求項５に関して、典型的な埋め込み型の本のページは共通の基材を共用し、つまり対向するページは基材材料に背中合わせで接着され、両方のページの間に共通の基材シートがある。
【請求項７】
請求項４を説明すると、前記構築レンチキュラーブックページは可撓基材に積層されてよい又は接着され、２葉に折り畳まれてよいレンチキュラーシートから成る。
【請求項８】
請求項６に関して及び請求項５を参照すると、前記レンチキュラーブックの前記２葉は共通の気板を共用しないことがある。
【請求項９】
前記の請求項のすべてを参照して、厚さが０．５ｍｍ未満であるレンチキュラーシートからページを構築するとき、及び見開きページデザインが要求されることがある場合、修正された製作の方法が必要とされる。
【発明の詳細な説明】
【技術分野】
【０００１】
本発明は、構築の方法及びレンチキュラーレンズシートを本に製本する方法に関する。この本は、印刷された画像が３Ｄの奥行きを有するように見える、及び／又はページが異なる角度から見られるのにつれて動画化されることを可能にする。この方法は、２ページをその全体で表示できるようにする、「埋め込み型の」製本方法に関するが、完全に異なる構築の方法を利用している。
【背景技術】
【０００２】
傑出したマーケティング及び広告の魅力を有する印象的なグラフィック書籍を作り出すために効率的で経済的なプロセスが提供される。プロセスでは、複数の画像が、例えば中央演算処理装置上等で形成され、画像はストライプを付けられる又は操作され、ピクセルの行を排除し、該ピクセルを他の画像からのピクセルで置き換え、その部分は重ね合わされる（インタレースとして知られる）。重ね合わされた画像はディスプレイの表示用表面で印刷できる。レンチキュラーレンズ、フレネルレンチキュラーレンズプレート、テクスチャー加工された表面、プレートレンズ、紫外線硬化樹脂レンズ、アンダーカットを有するレンズ、アナモルフィックレンズのクラスタ、透明ロッド、又はグリッド（本明細書では「レンチキュラーレンズシート」として知られている）は、視角が変化するにつれ動画、モーフィング、移動、又は３次元奥行きの錯覚を有する特別なディスプレイを提供するために画像の前に置くことができる。また、画像は自己完結型のレンチキュラーグラフィックを提供するためにレンズの後面に直接的に印刷することもできる。
【発明の概要】
【発明が解決しようとする課題】
【０００３】
この方法は、本が開かれているときに平らに置くことができ、見開きページを（そのように必要とされる場合に）正しく見ることができ、パンチで穴を開ける又はドリルで穴を開け、次いでスピロ又はワイヤで製本する以外の方法を使用し、表紙、背、及び裏表紙を含むフルサイズのカバー（レンチキュラー又は従来のどちらか）を取り付けることを可能にするように発明された。埋め込み型の方法に類似しているが、我々の方法は設計と構築の両方で独特である。
【０００４】
本発明は、印刷された又は印刷されていないレンチキュラーレンズシートを本の形に製本する方法に関する。レンチキュラー埋め込み型ブックは、共通の基材を共用しない、互いに接合された別々の２葉（bifolia）から構築されるので典型的な埋め込み型の本は異なる。比較すると、従来の埋め込み型の本又はアルバムは複数の４葉（quadfolia）、つまり互いに接合された４ページを使用し、接合時、共通の基材を共用する２つの２葉の形で構築される。また、従来の埋め込み型の本は、印刷された画像が単一の用紙上にあり、製本のために２つの別個の基材に積層される点でも異なる。レンチキュラー埋め込み型ブックは、画像を２つの別々の硬質レンチキュラーシートの上に印刷し、製本のために単一のシート基材の上に積層する異なる方法を利用する。
【課題を解決するための手段】
【０００５】
レンチキュラーレンズシートは半硬質であり、複数のシートを結合するときに特定の課題が生じる。本発明はいくつかの問題に対処し、解決する。１つの係る問題は、ページがいったん「従来のように」製本されると、ページが開かれたときに平らにならない点である。レンチキュラーシートの複数のページの本への製作のための以前の技法はレンチキュラーレンズシートの中にパンチで穴を開ける、穴を切削する、又はドリルで穴を開けて、次いで用紙を螺旋綴じ、リング製本、又はワイヤ製本する方法を利用するが、本方法はこれらの問題に対応し、独特な解決策を提供する。本方法は、レンチキュラーシートを、例えばくるみ式製本、縫合、スマイス式糸綴じ法、ダブルファン接着剤、ベロ（Viol）、プロクリック（Proclick）、ジップバインド（Zipbind）、サーマル、ライブラリ、テープ、Ｕｎｉｂｉｎｄ、縫合、パーフェクト、中綴じ等を含むが、これに限定されるものではないハードカバーの本の製本に類似した方法で製本できるようにする。また、本方法は、余白及びのどあきを含む２つのページを横切って印刷され、本が平らに開かれた状態で見られるように見える見開きページのデザインを可能にする。
埋め込み型の本
【０００６】
標準的な印刷機で印刷された本はのどあきの内側の画像を失うのに対し、すべての埋め込み型の本は「平らに置く」デザインを使用し、このことが（「見開きページ」又は「２ページ大」として知られている）２ページにわたるパノラマビューを可能にする。紙の見開きページ幅の用紙（又は類似した印刷物）にわたって画像が印刷されている、又は印刷されていない従来の埋め込み型の本又はアルバムは、折り畳むために中心で切れ目を入れられる。この用紙は次いで二（２）つの固い基材に積層され、これらの基材は中心で互いに接合されておらず、それによって印刷されたページ切れ目線単独の折り畳みを可能にする。基材は次いで結合され、以後、対向するページは単一の基材を共用することができ、次いで従来のライブラリ製本方法を使用し、結合することができる。レンチキュラーブックを作り出すための方法は、いくつかの重要な点で従来の方法とは異なる。
レンチキュラー埋め込み型ブック
【０００７】
レンチキュラーシートを埋め込み型の本又はアルバムに製本する方法は、従来の埋め込み型製本の構築方法とは全く異なる構築方法を使用する。この方法は、２つの向かい合うページを完全に平らに置くことを可能にし、画像は、中心つまり「のどあき」で画像を失うことなく、見開きページにわたる１つの連続したパノラマ画像として見ることができる。
【０００８】
厚さが０．５ｍｍ以上であるレンチキュラーシートに関して、新しい方法は（半硬質である）単一のレンチキュラーページが見開きページ幅の用紙又はプラスチック、フィルム、又は布（固くない）を含む類似する基材に積層されることを必要とし、折り畳みを可能にするために中心で切れ目を入れられる。横倍角ページ（つまり、「見開きページ」）は単一のレンチキュラーシートの幅の２倍よりもわずかに幅広い。基材シートの実際の幅は、使用される単一のレンチキュラーシートの厚さの２倍の最小値であると計算される追加の距離が加算された結合された２つのレンチキュラーシートの幅と同じである。この余分な距離は、構築された見開き２ページに切れ目を入れ、折り畳むことを可能にし、このようにして「単一のユニット」つまり「２葉」を形成するほど十分な空間があるように追加される。個々の２葉の組合せは次いで、従来のライブラリ製本方法を使用し、本に製本される。
【０００９】
従来の埋め込み型の本に類似する外観（つまり、２ページにわたるパノラマビュー）を達成するために、レンチキュラーパネルが適用されるシートは、２つのレンチキュラーパネルが並んでともに置かれるときに存在するように、同じ画像がつり合いが取れた状態で中心に印刷できる。ページが平らに開かれるとき、画像は基材材料上に直接的に、２つのレンチキュラーパネルの間に残された空間で再印刷されるので、ページは２ページにわたる１つの連続的な画像の外観を示す。
【００１０】
厚さが０．５ｍｍ未満であるレンチキュラーシートに関して、単一の見開きページ幅のレンチキュラーシートが使用され、加熱された切目入の刃を使用し、中心で切れ目を入れられる。この切目入はレンチキュラーシートの厚さを削減し、より大きな柔軟性を可能にし、それによってシートは２葉を作成するために中心で折り畳むことができる。２葉は、表紙に２葉を結合する、及び／又は２葉に補強を与えるために基材に積層されてよい。
【００１１】
従来の方法と異なり、レンチキュラーシートのいずれも共通の基材を共用していない。したがって、本は「２葉」として知られる個々の２葉の組合せを含む。２葉は本の内部ページを形成するために互いに積層され、内部ページの背を「バックラム」として知られている不織布又は類似物でさらに補強する従来のライブラリ製本方法を活用してよい。これが、次いで従来の製本方法を利用し、ハードカバー又はソフトカバーのどちらかのカバーに取り付けられる内部ページを完成させる。
【００１２】
ハードカバーへの製本は、印刷された薄い装飾的な印刷済みのレンチキュラーシート、つまり装飾的な印刷済みの用紙又は印刷されていない用紙を含む見返しを使用して、カバーを内部ページに接合してよい。見返しは、通常ハードカバーの寸法よりもわずかに小さい。
【００１３】
ソフトカバーに製本するとき、ソフトカバーは、数回折り畳むことを可能にして、カバーが内部ページを完全に包み込むことを可能にするために切れ目を入れられる単一のレンチキュラーシートから作ることができる。構築中にソフトカバーが内部ページよりも大きくなる場合、及び／又はページが製本後に不揃いであるとき、本全体がサイズまで縮小されてよい。
【００１４】
この方法は、イラスト本、漫画本、劇画、児童書、写真集、美術書、及び図案帳であるが、これに限定されるものではないものの印刷及び製作に適している。
製本の歴史
【００１５】
いくつかの折丁を、継ぎ目及びプラットの少なくとも一部を覆う革の裏面又は布によって本の側面を覆う板紙プラットに接合される紐又はコードに縫合することによって、本を保護し、その外観を強化するための製本の技術は数世紀にわたって実践されており、平たい部分（plats）の内側では次に装飾用の見返しが貼り付けられ、平たい部分自体は多様な種類の装飾材料で覆われている。
【００１６】
この従来の手作業の方法は、生産コストを抑えるためには効果的であるが、短い耐用期間を有するやや低級の製品を生じさせる、時間を節約する簡略化された手順を使用する工業化された製本方法によりほぼ複製されてきた。縫合された折丁から形成される本の本体は、このようにして平たい部分及び裏面から形成されるカバーに挿入され、糊付けされる前に別々に準備される。他方、このタイプの装丁を有する本の裏面は通常、強力な板紙の裏張りを与えられ、それによって裏面に多少の剛性を与え、結果的に、本は容易に平らに開くことができない。これは、読書のため、及び写真の複製を見るためにも不便を生じさせる。
【００１７】
レンチキュラーレンズシートを本に製本する我々の方法は、ページを平らに開き、カバーを任意の利用できる方法とは異なる方法で本とともに製作できるようにする。
レンチキュラーレンズシート
【００１８】
レンチキュラーレンズは、わずかに異なる角度から見られるときに、異なる画像が拡大されるように設計された円筒形の平凸レンズのアレイである。最も一般的な例は、技術が奥行きの錯覚を与えるために又は画像が異なる角度から見られるにつれ変化する又は移動するように見える画像を作るために使用される、レンチキュラー印刷に使用されるレンズである。印刷された画像はレンチキュラーレンズシートに直接的に適用される又は紙、プラスチック、若しくは他の材料に印刷され、レンズの下側に積層される（図２．２）。レンチキュラーレンズは垂直に、水平に、又は任意の角度で続くことができる（図１．２）。
レンチキュラー印刷‐プロセス
【００１９】
レンチキュラー印刷は、レンチキュラーレンズが３Ｄの奥行きの錯覚を有する画像を作り出すために使用される技術、つまり画像が異なる角度から見られるにつれ変化する又は移動する能力である。レンチキュラー印刷の例は、３Ｄ奥行き効果、フリップ、ズーム、及びウィンクする目等の動画の効果を示す印刷された画像、及び視角に応じてメッセージを変更する近代的な広告グラフィックスを含む。この技術は１９４０年代に作成されたが、近年進化を遂げてより多くの運動及び奥行きの増加を示している。元はおもにノベルティ品目に使用され、一般に「フリッカーピクチャ」又は「揺動ピクチャ」と呼ばれ、レンチキュラープリントは現在バーチャル３Ｄ空間及び／又は２Ｄ若しくは３Ｄのどちらかの動きで製品を見せるためのマーケティングツールとして使用されている［２］。
【００２０】
レンチキュラー印刷は、少なくとも２つの画像からレンチキュラー画像を作成すること、及び該レンチキュラー画像をレンチキュラーレンズと結合することから成る多段階プロセスである。このプロセスは、（運動効果のために）動画の多様なコマを作成し、（３Ｄ効果のために）異なる増分で多様な層をオフセットするために、又は互いに変形するように見えることがある交互の画像のセットを単に見せるためだけに使用できる。いったん多様な画像が収集されると、画像は個々の異なるフレームファイルの中に平坦化され、次いでインタレースと呼ばれるプロセスで単一の最小ファイルにデジタル的に結合される。そこからインタレースされた画像はレンズの裏面（滑らかな側）に直接的に印刷できる、又はインタレースされた画像は基板に印刷し、レンズに積層することができる。レンズの裏側に印刷するとき、インタレースされた画像の細かい「スライス」の重大な位置合わせはリソグラフィックプロセス又はスクリーン印刷プロセスの間に絶対正しくなくてはならず、さもないと「ゴースト」及び不十分な画像が生じる可能性がある。結合されたレンチキュラープリントは、プリントが見られる角度を変更するだけで２つ以上の異なる画像を示す。シーケンスで撮影されるより多くの画像が使用される場合、約１秒の短いビデを見せることもできる。
【００２１】
芸術作品を通して単純な画像又は異なる色をインタレースすることによって通常はシート形式で作り出されることから、レンチキュラー画像は３Ｄ効果又はマルチカラー変更を有するロール形式で作成することもできる。代わりに、わずかに異なる角度から撮影された同じ対象のいくつかの画像を使用し、次いで立体的な３Ｄ効果を示すレンチキュラープリントを作成できる。立体的な効果を達成するためには、視聴者の左目は右とはわずかに異なる角度から見ている必要があるので、３Ｄ効果は左右（左から右）の方向だけで達成できる。モーフィング、モーション、及びズーム等の他の効果は、上下の効果（レンズが水平に動く）としてよりうまく機能する（より少ないゴースト及び潜伏効果）が、両方向で達成できる。
【００２２】
他の材料だけではなくＰＶＣ、ＡＰＥＴ、アクリル、及びＰＥＴＧから作ることができるレンチキュラー画像の多くの商業的な最終用途がある。ＰＥＴＧ及びＡＰＥＴは最も一般的であるが、カップ及びギフトカードでのレンチキュラー画像の使用の増加により、他の材料は屋外使用及び特別な形成に対応するために一般的になってきている。リソグラフィック印刷、オフセット印刷、及びフレキソレンチキュラー印刷は、レンチキュラーシートの平坦な側がレンズ上に直接的にインクを配置させることを可能にする。一方、高解像度写真レンチキュラーは、通常画像をレンズに積層させる。
【００２３】
最新のレンチキュラー技術は、フレキソ印刷、インクジェット印刷、及びスクリーン印刷の技法でレンズを製造している。レンズ材料は、高速でフレキソ印刷システム又はオフセット印刷システムを通して送られる又はＵＶインクジェット機械（通常は正確な位置合わせを可能にする平台）で印刷されるロール又はシートで供給される。この技術は低コストでの大量の３Ｄレンチキュラー生産を可能にする。
【図面の簡単な説明】
【００２４】
【図１】多様なレンチキュラーレンズシートの平面図である。
【図２】多様なレンチキュラーレンズシートの平面図である。
【図３】多様なレンチキュラーレンズシートの平面図である。
【図４】レンチキュラーレンズシートの断面図である。
【図５】標準的な印刷された絵本の斜視図である。
【図６】典型的な埋め込み型の本の斜視図である。
【図７】埋め込み型の本のページの断面図である。
【図８】埋め込み型の本の製作及び製本を示す断面図である。
【図９】図６に参照される典型的な埋め込み型の本の斜視図である。
【図１０】レンチキュラーブックの斜視図である。
【図１１】レンチキュラーブックからの単一ページの製作を示す断面図である。
【図１２】レンチキュラーブックの折り畳まれた単一のページ、つまり２葉、及びそれが本の中の他の２葉にどのように関係しているのか、並びに製本プロセスを示す断面接写図である。
【図１３】本が閉じられた状態で、互いに接合され、製本されたレンチキュラーブックの断面図である。
【図１４】レンチキュラーブックが開かれ、平らに置かれた状態でいくつかの２葉に接合され、結合された単一の２葉の断面図である。
【図１５】レンチキュラーブックカバーとして使用されるために印刷され、切れ目を入れられ、折り畳まれる単一のレンチキュラーシートの平面図である。
【図１６】代替のレンチキュラーブックカバーとして使用されるために、印刷され、切れ目を入れられ、折り畳まれる単一のレンチキュラーシートの平面図である。
【図１７】レンチキュラーブックカバーの中に製作されるために印刷され、次いでセクションに切り込まれる単一のレンチキュラーシートの平面図である。
【図１８】結合された２葉をレンチキュラーブックカバーに接合するために使用される製作方法を示す断面図である。
【図１９】ページ及び厚さ＜０．６０ｍｍのレンチキュラーシートを使用する２葉製作方法を示す断面図である。
【図２０】２葉に折り畳まれた薄いレンチキュラーシートの接写断面図である。
【発明を実施するための形態】
【００２５】
レンチキュラーブックは２ページのユニット、つまり背中合わせに互いに接合される「２葉」に折り畳まれる別々の単一のシールドから構築されるので、レンチキュラーブックは典型的な埋め込み型の本とは異なる。これらの２葉は共通の基板を共用しない。比較すると、従来の埋め込み型の本又はアルバムは、接合時、共通の基材を共用する複数のユニットを使用し、構築される。また、従来の埋め込み型の本は、画像が単一の用紙に印刷され、製本のために２つの異なる基材に積層される点でも異なる。レンチキュラー埋め込み型ブックは、画像を２枚の別々の硬質レンチキュラーシートに印刷する異なる方法を利用し、該２枚の別々の硬質レンチキュラーシートは次いで製本のために単一のシート基材の上に積層される。
【００２６】
ここでより詳細に方法を参照すると、図１、図２、及び図３はレンチキュラーレンズシートの平面図を示す。レンズの方向は任意の角度であることがあり、レンチキュラーレンズシートの上に直接的に印刷される又はレンチキュラーレンズシートに積層される、ソフトウェアを使用し、作り出される画像のインタレース角度の方向に完全に依存する。
【００２７】
図１、図２、及び図３に参照されるレンチキュラーレンズシートの断面を示す図４を参照すると、画像がレンチキュラーレンズシート（２）に直接的に印刷される又は下側に積層され、画像が上方（３）を向き、レンズ（４）を通して見える、対向面上の個々の微小凸レンズ、つまりすぐ下方に画像平面を有するレンズ（１）のアレイを示す。
【００２８】
図面シート２は斜視図を示し、ともにページが開かれた状態で平らに置かれた、図５、左右対称の印刷本と図６、及び典型的な埋め込み型の本との比較を示す。標準的な印刷機で印刷された本はのどあきの内側の画像を失うのに対し、すべての埋め込み型の本は、（「見開きページ」又は「２ページ大」として知られる）２ページにわたるパノラマビューを可能にする「レイフラット」デザインを使用する。図５を参照すると、左右対称の印刷本（５）の中で、ページは中心（６）で接合され、２つの可視ページ（７）にわたってパノラマ式に見えるように印刷された画像はのどあき領域（８）として知られているものの中に消え、したがっていずれの視覚的な歪みもなく２ページにわたって連続的に見られると考えられるが、ここでは製本プロセス（９）によって生じる物理的な歪みを示す画像の全体的な外観を達成する。図６は、ページ（１０）が平らに置かれる、開かれた状態の埋め込み型の本の斜視図を示す。埋め込み型の本の典型的な構成は、画像を、画像（１１）のいかなる損失又は視覚的な歪みもなく２ページにわたって連続的に見ることを可能にする。
【００２９】
図７は、埋め込み型の本に製本する前のページの構築の標準的な方法を概略する。すべての埋め込み型の本は、連続的なパノラマ画像を見開きページにわたって印刷し、画像のいかなる歪みもなく見ることができるようにするレイフラットデザインを活用する。本明細書（１２）では、画像側が上向きの印刷されたページを示し、該ページは次いで、印刷されたページ（１２）を印刷されたページよりもより硬質の２つの基材（１４）に接合する接着剤（１３）を使用し、積層される。構築されたページは中心線（１５）に沿って切れ目を入れられ、折り畳まれ、ページに内向きに向く。２つの基材は中心で接合されず、代わりに（１６）に示されるように、折り畳みプロセスを容易にするために小さい隙間が残される。
【００３０】
図８は内部ページの断面図であり、図７の構築されたページを参照する。図８は、埋め込み型の本の内部ページの典型的な製本方法を示し、基材（１８）に取り付けられた見開きページ（１７）が切れ目線（１９）に沿って切れ目を入れられ、それ自体の上に折り畳まれ、ページに内向きに（２０）向き、それ自体によって２つのページを作成する図７を参照する。印刷されたページは（２１）に参照されるように共通の基材を共用できる。追加のページは（２２）折り畳まれたページ、つまり共通の基材を共用する４ページから成る４葉によって参照される。この４葉は次いで、バックラム、織布、又は類似（２３）を構築されたページの折り畳まれた端縁に接着し、それによってページを結合する典型的な「ライブラリ製本」方法を使用して結合されてよい。ハードカバー又はソフトカバーは次いでページに結合され、構築された本を完成するために縮小されてもよい（このプロセスの詳細な説明は本願の一部を形成せず、意図的に省略されている）。
【００３１】
図面シート４は、図９、典型的な埋め込み型の本と図１０、我々のレンチキュラー埋め込み型ブックとの比較によって相違点を示す斜視図を示す。図９は、中心（２６）でいかなる視覚的な歪みもなく連続画像を見ることを可能にし、印刷されたシートが中心（２７）で切れ目を入れられて折り畳みを可能にする、画像が２ページにわたって単一のシートに印刷された状態で平らに開かれた（２５）典型的な埋め込み型の本を示す。比較すると、図１０は我々のレンチキュラー埋め込み型ブックを示し、平らに置かれるときの斜視図を示す。これは、可撓基材（２９）に積層された２つのレンチキュラーシート（２８）で構築されて、２ページを形成する。レンチキュラーシートが積層される基板（２）が切れ目を入れられ、中心（３１）に沿って折り畳まれ、いったん折り畳まれると、２ページでの開かれたページの折り畳みを容易にし、それによってそれ以外の場合「２葉」として知られる別々の２ページのユニットを作成するように、レンチキュラーシート（３０）の間に空間が残される。
【００３２】
（図１２〜図１４に表されるように、２ページの２葉に単一シートを折り畳むために製作中必要な）２つのレンチキュラーシート間の空間（３０）によって作り出される、画像（３２）の欠けている中心部分は、製作前に基材材料（２９）上に直接的に印刷することができ、それによって図９によって参照される従来の埋め込み型の本に類似する連続的で途切れないパノラマ画像（３３）の錯覚を与える。印刷された基材は見開きページから「欠けている」画像の部分を表す。ページが平らに開かれるとき、完全な画像の「欠けている」部分は実際には２つのレンチキュラーパネル間の空間に再印刷されるので、ページは２ページ（３３）にわたって１つの連続的な画像の外観を示す。図面シート５は、図１０を参照するより詳細な断面図を示す。レンチキュラー埋め込み型ブック又はアルバムに製本する方法は、従来の埋め込み型製本の方法に対して完全に異なる構築の方法を使用する。図１１は、硬質である（３４）単一のレンチキュラーページが見開きページ幅の用紙、又は硬質ではなく、折り畳みを可能にするために中心（３６）で切れ目を入れられるプラスチック、フィルム、又は布（３５）を含む類似する基材に積層されることを必要とする、この新しい方法を示すより詳細な断面図を示す。基材シートの実際の幅は、基材に積層された各単一のレンチキュラーシート（３７）の厚さの最小値、つまりこの場合２をかける、つまり「２ｘｈ」（３８）である「ｈ」であると表される追加の距離が加えられた、結合された２つのレンチキュラーシートの同じ幅である。この余分な距離は、構築された見開きページに切れ目線を入れ、折り畳み、このようにして単一のユニット、つまり「２葉」を形成することを可能にするほど十分な空間があるように追加される。
【００３３】
図９によって参照される従来の埋め込み型の本に類似した視覚的な外観を達成するために、図１１は、レンチキュラーパネルが適用されるシートを、２つのレンチキュラーパネルが印刷された基材の同じ領域をカバーするときに存在するように、同じ画像がつり合いが取れた状態で中心（３８）に印刷できるより詳細な断面図を示す。ページが平らに開かれるとき、ページは完全な画像の「欠けている」部分は実際には２つのレンチキュラーパネル間の空間に実際に再印刷されるので、ページは２ページ（３３）にわたって１つの連続的な画像の外観を示す。
【００３４】
従来の方法（図６、図７、図８）においてとは異なり、図１２に示されるようにレンチキュラー埋め込み型ブックを製本するとき、レンチキュラーシートのいずれも共通の基板を共用しない。代わりに、いくつかのセクション、つまり２葉（３９）が、いったん切れ目線（４０）に沿って中心で折り畳まれると、背中合わせに互いに積層される又は接着されて本（４１）の内部ページを形成し、ハードカバーを追加する場合、背、つまり内部ページ（４２）の折り畳まれた端縁を織布又は類似物（４３）でさらに補強する従来のライブラリ製本方法を活用する。本の板をカバーするためにライブラリ製本業者によって使用される最も一般的な布は「バックラム」として知られ、アクリルでコーティングされてもよい。これは、次いで従来の製本方法を利用し、ハードカバー又はソフトカバーのどちらかのカバーに取り付けられる内部ページを完成する。
【００３５】
図１３は、図１２の拡大図を表し、閉じられたときの結合された２葉の断面を示し、いくつかの２葉（４５）に接合され、バックラム（４６）によって背に結合された単一の２葉（４４）を示す。
【００３６】
図１４は図１１及び図１３を参照するが、代わりに、開かれ、平らに置かれたときの結合された２葉の断面を示す。開かれたときの２葉を示す図１１が参照され、本は平らに置かれる（４７）。閉じられた状態でセクションの中で接合された２葉は（４８）によって示され、その内のすべてが切れ目を入れられ、切れ目線（４９）に沿って折り畳まれ、次いでバックラム（５０）によって接合される。
【００３７】
図面ページ６で、図１５はカバー（５１）として使用され、切れ目線（５２）に沿って切れ目を入れられ、折り畳まれる単一の、印刷されたレンチキュラーシートを示す。カバーは、カバーを補強するために、同様に切れ目を入れられ、折り畳まれる（５２）硬質の基材（５３）に積層されてよい。切れ目線の数は、内部ページにカバーを接合するために使用される方法に応じて、１又は複数、図１６（５４）からの数で変化してよい。また、カバー（５５）は同様に切れ目を入れられ、折り畳まれたハードカバー（５６）に接合されてもよい。さらに、図１７は、裏表紙（５７）、背（５８）、及び表紙（５９）を形成する部分への単一の切断を示す。これらの部分は次いでそのそれぞれの位置で個別にハードカバー（６０）の上に接着する又は積層することができる。
【００３８】
図面ページ７、図１８は、見返しが使用されてよい、ハードカバーに２葉を結合することを示す断面図を示す。見返し（６１）は、印刷された薄いレンチキュラーシート、印刷された用紙若しくは印刷されていない用紙、布、又はプラスチックから製作されたシートであり、内部ページ又は２葉（６２）のにカバー（６３）を接合するために使用される。見返しは通常表紙及び裏表紙の裏側に見付けられる。見返しは、正確なサイズである、又はハードカバーの寸法よりもわずかに小さいことがある。見返しは、薄い印刷されたレンチキュラー材料を含む任意の可撓材料から作ることができる。見返しは、いったんそれらがカバーと境界２葉の両方に接着される、又は積層されると、ある回数（点線）切れ目を入れられてカバーの閉鎖を容易にする。ソフトカバーは、ある回数折り畳むために切れ目を入れられて、カバーが完全に接合を内部ページに入れることができるようにする単一のレンチキュラーシートから作ることができる。構築中の場合、ソフトカバーは内部ページよりも大きく、本全体がサイズまで縮小されてよい。方法はハードカバー又はソフトカバーどちらかの本が印刷されたレンチキュラーシートから完全に構築されたとして見えることを可能にし、表紙及びすべての内部ページを含むあらゆる平面に対して印刷されたレンチキュラー視覚効果がある。
【００３９】
図面ページ８、図１９は、厚さが０．５ｍｍ未満であり見開きページが必要とされることがある、レンチキュラーシートを製本するときに使用される方法を示す断面図を示す。この例では、単一のレンチキュラーシート（６６）が使用され、２葉に製作される。方法は、単一のレンチキュラーシートを、加熱された金属切れ目入り刃（６８）を使用し、切れ目線（６７）に沿って切れ目を入れられることを必要とする。刃は、切れ目線線に沿って押されるときにプラスチックレンチキュラーシートをわずかに溶かすに十分な熱を与えられるが、加熱された刃がシートを完全に貫通させるほど大きな圧力ではない。これはシート全体を無傷のままとする。したがって、シートは切れ目線（６９）に沿って十分に薄く、レンチキュラーシートに柔軟性を与え、シートを折り畳むことができるようにする。類似した影響は、加熱された切目入の刃の代わりに、コンピュータ制御されたＣＴルータを使用することによって達成できる。切目入の方法は特許請求の範囲に関係していないが、したがってシートを折り畳むことができるようにする折り目に沿ったレンチキュラーシートの厚さの削減は重要である。
【００４０】
図２０は、図１２に上記に見られるようにレンチキュラーシートから２葉を作成する上記の方法を参照する断面図であり、レンチキュラーシート（７０）は、補強のために基材（７１）に積層され、切れ目線に沿って２葉（７２）に折り畳まれてもよい。しかしながら本明細書では、切れ目線の製作は切れ目線でのレンチキュラー材料の幅を削減し、レンチキュラー材料をより可撓にし、無傷のままでありながら（７３）、単一のシートを折り畳むことを可能にする。同様に並びに図１３及び図１４を参照すると、いくつかの２葉が、バックラムの使用によってさらに補強され、次いでカバーの中に入れられてよいレンチキュラーブックの内部ページを作成するために結合される。
【図１】
2018502754.tif 000003
【図２】
2018502754.tif 000004
【図３】
2018502754.tif 000005
【図４】
2018502754.tif 000006
【図５】
2018502754.tif 000007
【図６】
2018502754.tif 000008
【図７】
2018502754.tif 000009
【図８】
2018502754.tif 000010
【図９】
2018502754.tif 000011
【図１０】
2018502754.tif 000012
【図１１】
2018502754.tif 000013
【図１２】
2018502754.tif 000014
【図１３】
2018502754.tif 000015
【図１４】
2018502754.tif 000016
【図１５】
2018502754.tif 000017
【図１６】
2018502754.tif 000018
【図１７】
2018502754.tif 000019
【図１８】
2018502754.tif 000020
【図１９】
2018502754.tif 000021
【図２０】
2018502754.tif 000022
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
埋め込み型のレンチキュラー製本であって、
見開きページ幅の基材シートと、
それぞれがパネル幅及び厚さを有する前記基材シートの上面上の１対の隣接するレンチキュラーパネルであって、前記１対のレンチキュラーパネルが前記基材シート上でそれらの間の隙間分、間隔を空けて置かれる１対の隣接するレンチキュラーパネルと
を備える２葉セクション
を備え、
前記２葉セクションが広げられるとき、
前記基材シートが前記厚さの２倍の最小値を加えた、前記パネル幅の２倍である長さを有し、
前記隙間が前記厚さの２倍の最小値の幅を有する
埋め込み型のレンチキュラー製本。
【請求項２】
前記幅が０．５ｍｍよりも大きい、請求項１に記載される製本。
【請求項３】
前記２葉セクションが閉じられるときに、前記基材シートが前記隙間に沿って折り畳める、請求項１に記載の製本。
【請求項４】
前記基材シートが前記隙間に沿って切れ目を入れられる、請求項３に記載の製本。
【請求項５】
前記基材シートが前記上面に見開きページ印刷を備え、前記印刷が前記１対の隣接するレンチキュラーパネルの間の前記隙間を横切って連続的に続く、請求項１に記載の製本。
【請求項６】
追加の２葉セクションをさらに備え、前記２葉セクション及び前記追加の２葉セクションがそれぞれの裏張り部分によって互いに付着する、請求項１に記載の製本。
【請求項７】
前記裏張り部分の前記幅が前記パネル幅に等しい、請求項６に記載の製本。
【請求項８】
各２葉セクションの背がバックラムに結合される、請求項６に記載の製本。
【請求項９】
前記２葉セクションまたは前記追加の２葉セクションが広げられるとき、各それぞれの基材シートが実質的に平面的である、請求項８に記載の製本。
【請求項１０】
表紙及び見返しをさらに備え、前記見返しが前記表紙の内面部分及び前記２葉セクションの反対側の裏張り部分にわたって付着する、請求項６に記載の製本。
【請求項１１】
前記厚さが０．７ｍｍ未満であり、前記１対のレンチキュラーパネルが、単一の見開きページ幅のレンチキュラーパネルの上面に沿って溝を作ることによって形成され、前記溝が前記厚さ未満の深さを有する、請求項１に記載の製本。
【国際調査報告】
2018502754.tif 000023
2018502754.tif 000024
2018502754.tif 000025
2018502754.tif 000026
2018502754.tif 000027